(57)【要約】【課題】コストアップを伴うことなく確実に劣化診断を行なうことのできる内燃機関の排気浄化装置の劣化診断装置を提供する。【解決手段】排気通路に前処理触媒１３２とその下流に吸蔵還元型ＮＯｘ触媒１３６とが設置された排気浄化装置の劣化診断装置であって、前処理触媒の下流で吸蔵還元型ＮＯｘ触媒の上流に配置された第１のＡ／Ｆセンサ１３８と、吸蔵還元型ＮＯｘ触媒の下流に配置された第２のＡ／Ｆセンサ１３９と、還元剤添加弁１１５と、所定の時期に還元剤添加弁１１５を作動させ、還元剤添加弁１１５の作動時の所定時間内において、第１のＡ／Ｆセンサにより検出される到達排気空燃比値と第２のＡ／Ｆセンサにより検出される到達排気空燃比値との差を求め、該差の大小に基づき、前処理触媒の劣化度合を診断する診断手段と、を備える。【選択図】図１
2008138562.tif 000002
【特許請求の範囲】
【請求項１】
排気通路に酸化機能を有する前処理触媒とその下流に吸蔵還元型ＮＯｘ触媒とが設置された内燃機関の排気浄化装置の劣化診断装置であって、
前記前処理触媒の下流で前記吸蔵還元型ＮＯｘ触媒の上流に配置された第１の排気空燃比検出手段と、
前記吸蔵還元型ＮＯｘ触媒の下流に配置された第２の排気空燃比検出手段と、
前記前処理触媒の上流において、排気ガスに還元剤を添加する第１の還元剤添加手段と、
所定の時期に前記第１の還元剤添加手段を作動させる第１の還元剤添加手段作動手段と、
前記第１の還元剤添加手段作動手段による前記第１の還元剤添加手段の作動時の所定時間内において、前記第１の排気空燃比検出手段により検出される到達触媒前空燃比値と前記第２の排気空燃比検出手段により検出される到達触媒後空燃比値との差を求め、該差の大小に基づき、前記前処理触媒の劣化度合を診断する診断手段と、
を備えることを特徴とする内燃機関の排気浄化装置の劣化診断装置。
【請求項２】
前記第１の還元剤添加手段により添加供給される還元剤量は、排気空燃比がストイキに到達しない量であることを特徴とする請求項１に記載の内燃機関の排気浄化装置の劣化診断装置。
【請求項３】
前記第１の還元剤添加手段により添加供給された還元剤量に起因する到達排気空燃比を推定する第１の到達排気空燃比推定手段と、
前記第１の到達排気空燃比推定手段により推定された第１の到達排気空燃比推定値と、前記第１の排気空燃比検出手段により検出された到達触媒前空燃比値または前記第２の排気空燃比検出手段により検出された到達触媒後空燃比値との差を求め、該差の大小に基づき、前記第１の還元剤添加手段を診断する第２の診断手段と、
前記前処理触媒の上流において、排気ガスに還元剤を添加する第２の還元剤添加手段と、
前記第２の還元剤添加手段により添加供給された還元剤量に起因する到達排気空燃比を推定する第２の到達排気空燃比推定手段と、
前記第２の到達排気空燃比推定手段により推定された第２の到達排気空燃比推定値と、前記第１の排気空燃比検出手段により検出された到達触媒前空燃比値または前記第２の排気空燃比検出手段により検出された到達触媒後空燃比値との差を求め、該差の大小に基づき、前記第１の還元剤添加手段、前記前処理触媒および前記吸蔵還元型ＮＯｘ触媒を診断する第３の診断手段と、
を備えることを特徴とする請求項１または２に記載の内燃機関の排気浄化装置の劣化診断装置。
【請求項４】
前記第１および第２の還元剤添加手段は、排気通路に設けられた還元剤添加弁および燃焼室に設けられた燃料噴射弁のいずれか一方およびその他方を、それぞれ、用いるものであることを特徴とする請求項１ないし３のいずれかに記載の内燃機関の排気浄化装置の劣化診断装置。
【発明の詳細な説明】
【技術分野】
【０００１】
本発明は、内燃機関の排気ガス浄化装置の劣化診断装置に関し、特に、排気通路に酸化機能を有する前処理触媒とその下流に吸蔵還元型ＮＯｘ触媒とが設置された内燃機関の排気浄化装置の劣化診断装置に関する。
【背景技術】
【０００２】
一般に、例えばディーゼル機関や希薄燃焼式のガソリン機関において、酸化（リーン）雰囲気で排気中の窒素酸化物（ＮＯｘ）を吸蔵させ、その後、還元剤（燃料等）を排気中に供給することにより還元（リッチ、ストイキ）雰囲気にして、吸蔵されていたＮＯｘを放出させ、且つ還元して浄化する吸蔵還元型ＮＯｘ触媒を用いた排気浄化装置が知られている。そして、常時リーン状態で用いられるディーゼル機関の場合には、この吸蔵還元型ＮＯｘ触媒に対する還元雰囲気を確実に形成するために、該吸蔵還元型ＮＯｘ触媒の上流に還元剤添加装置や酸化機能を有する前処理触媒としての酸化触媒や三元触媒が配置された排気浄化装置が提案されている。
【０００３】
この吸蔵還元型ＮＯｘ触媒は、排気ガスリーン状態においては、ＮＯｘを吸蔵する一方、逆に排気ガスリッチ状態においては、吸蔵したＮＯｘを放出する特性を有する。そして、排気ガスリッチ状態においては、吸蔵還元型ＮＯｘ触媒から放出されるＮＯｘがＨＣ、ＣＯにより還元されて、窒素ガスとして排出され、またＨＣ、ＣＯは酸化されて水蒸気及び二酸化炭素として排出される。
【０００４】
また、吸蔵還元型ＮＯｘ触媒が、吸蔵できるＮＯｘ量には当然限界があり、この限界値は、吸蔵還元型ＮＯｘ触媒が劣化すると小さくなる傾向を示す。そのため、吸蔵還元型ＮＯｘ触媒の上流側及び下流側に酸素濃度センサを配置し、吸蔵還元型ＮＯｘ触媒に吸蔵されたＮＯｘを放出させるための空燃比リッチ化を実行し、上流側酸素濃度センサがリッチ空燃比を示す値に変化した時点から、下流側酸素濃度センサの出力値がリッチ空燃比を示す値に変化する時点までの遅れ時間に基づき、吸蔵還元型ＮＯｘ触媒の劣化度合を判定する手法が知られている。
【０００５】
ところが、希薄燃焼式のガソリン機関の場合でも、常にリーン運転を行うわけではなく、機関運転状態によっては、空燃比を理論空燃比に設定するストイキ運転や、理論空燃比よりリッチ側の空燃比に設定するリッチ運転も行うので、通常は吸蔵還元型ＮＯｘ触媒だけでなく、酸化還元作用を有する三元触媒も併用される。また、ディーゼル機関の場合には、この吸蔵還元型ＮＯｘ触媒に対する還元雰囲気を確実に形成するために、該吸蔵還元型ＮＯｘ触媒の上流に還元剤添加装置や酸化機能を有する前処理触媒としての酸化触媒や三元触媒が配置されること上述の通りである。
【０００６】
このような三元触媒が劣化してくると、空燃比をリーン空燃比からリッチ空燃比に変更したときに、三元触媒下流側において酸素濃度が低下するタイミングが早くなり、かつ還元作用を有するＨＣ、ＣＯの濃度も大きくなるため、吸蔵還元型ＮＯｘ触媒に吸蔵されたＮＯｘ量が同じであってもその還元に要する時間が変化し、吸蔵還元型ＮＯｘ触媒の劣化を正確に判定できない場合があることから、吸蔵還元型ＮＯｘ触媒が三元触媒の下流側に配置される場合でも、その劣化度合を正確に判定すべく、このような吸蔵還元型ＮＯｘ触媒の上流側に設けられた三元触媒を備えた排気ガス浄化装置において、吸蔵還元型ＮＯｘ触媒の上流および下流に排気ガス中の酸素濃度を検出する第１および第２の酸素濃度センサをそれぞれ設けると共に、三元触媒の上流側に第３の酸素濃度センサを設け、三元触媒の劣化度合と吸蔵還元型ＮＯｘ触媒の劣化を判定するようにした技術が特許文献１に開示されている。
【０００７】
【特許文献１】特開２０００−３２８９２９号公報
【発明の開示】
【発明が解決しようとする課題】
【０００８】
しかしながら、特許文献１に記載の技術は、ガソリン機関用であり、上流側の三元触媒の劣化度合と下流側の吸蔵還元型ＮＯｘ触媒の劣化判定を行なうのに、第１ないし第３の酸素濃度センサを設けることにより劣化判定を行うものであり、その酸素濃度センサの個数が増加する分コストアップすることが避けられないという問題を有している。
【０００９】
本発明はかかる事情に鑑みなされたもので、その目的は、コストアップを伴うことなく確実に劣化診断を行なうことのできる内燃機関の排気浄化装置の劣化診断装置を提供することにある。
【課題を解決するための手段】
【００１０】
上記目的を達成する本発明の一形態に係る内燃機関の排気浄化装置の劣化診断装置は、排気通路に酸化機能を有する前処理触媒とその下流に吸蔵還元型ＮＯｘ触媒とが設置された内燃機関の排気浄化装置の劣化診断装置であって、前記前処理触媒の下流で前記吸蔵還元型ＮＯｘ触媒の上流に配置された第１の排気空燃比検出手段と、前記吸蔵還元型ＮＯｘ触媒の下流に配置された第２の排気空燃比検出手段と、
前記前処理触媒の上流において、排気ガスに還元剤を添加する第１の還元剤添加手段と、所定の時期に前記第１の還元剤添加手段を作動させる第１の還元剤添加手段作動手段と、前記第１の還元剤添加手段作動手段による前記第１の還元剤添加手段の作動時の所定時間内において、前記第１の排気空燃比検出手段により検出される到達排気空燃比値と前記第２の排気空燃比検出手段により検出される到達排気空燃比値との差を求め、該差の大小に基づき、前記前処理触媒の劣化度合を診断する診断手段と、を備えることを特徴とする。
【００１１】
上記本発明の一形態に係る内燃機関の排気浄化装置の劣化診断装置においては、所定の時期に、第１の還元剤添加手段作動手段により第１の還元剤添加手段が作動され、前処理触媒の上流において排気ガスに還元剤が添加されると、排気空燃比がリッチ側に移行された排気ガスが、酸化機能を有する前処理触媒とその下流の吸蔵還元型ＮＯｘ触媒とを流通することになる。このリッチ側に移行された排気ガスの排気空燃比は、前処理触媒の下流で吸蔵還元型ＮＯｘ触媒の上流に配置された第１の排気空燃比検出手段と、吸蔵還元型ＮＯｘ触媒の下流に配置された第２の排気空燃比検出手段とにより検出される。すなわち、第１の還元剤添加手段作動手段による第１の還元剤添加手段の作動時の所定時間内において、第１の排気空燃比検出手段により検出される到達触媒前空燃比値と第２の排気空燃比検出手段により検出される到達触媒後空燃比値とが検出され、さらに、この到達触媒前空燃比値と到達触媒後空燃比値との差が求められ、診断手段により該差の大小に基づいて前処理触媒の劣化度合が診断される。
【００１２】
詳しくは、前処理触媒の酸化機能が低下ないしは劣化した場合は、添加された還元剤と排気ガス中の酸素との酸化反応が十分に行なわれず、第１の排気空燃比検出手段をまず通過する排気ガスの排気空燃比は、排気空燃比検出手段が感知する酸素濃度が実際よりも高くなり、出力としてはリーンにずれる。ところが、その後、吸蔵還元型ＮＯｘ触媒を通過するとこの排気ガス中の酸素は該触媒での酸化反応に使用され、到達排気空燃比はリッチ側に移行する。従って、到達触媒前空燃比値と到達触媒後空燃比値との差が大きいときは、前処理触媒での酸化機能が十分ではなく劣化していると診断される。逆に、到達触媒前空燃比値と到達触媒後空燃比値との差が小さいときは、前処理触媒で排気ガス中の酸素が処理された結果であり、前処理触媒は正常に機能していると診断される。
【００１３】
従って、上記一形態の構成によれば、第３の酸素濃度センサなどの追加部品を必要とすることなく、単に、第１の排気空燃比検出手段による到達触媒前空燃比値および第２の排気空燃比検出手段による到達触媒後空燃比値の差に基づきコストアップを伴うことなく確実に前処理触媒の劣化診断を行なうことができる。
【００１４】
ここで、前記第１の還元剤添加手段により添加供給される還元剤量は、排気空燃比がストイキに到達しない量であってもよい。
【００１５】
この形態によれば、還元剤の使用量が少なくて済むと共に、第１および第２の排気空燃比検出手段での検出精度が向上する。
【００１６】
さらに、前記第１の還元剤添加手段により添加供給された還元剤量に起因する到達排気空燃比を推定する第１の到達排気空燃比推定手段と、前記第１の到達排気空燃比推定手段により推定された第１の到達排気空燃比推定値と、前記第１の排気空燃比検出手段により検出された到達触媒前空燃比値または前記第２の排気空燃比検出手段により検出された到達触媒後空燃比値との差を求め、該差の大小に基づき、前記第１の還元剤添加手段を診断する第２の診断手段と、前記前処理触媒の上流において、排気ガスに還元剤を添加する第２の還元剤添加手段と、前記第２の還元剤添加手段により添加供給された還元剤量に起因する到達排気空燃比を推定する第２の到達排気空燃比推定手段と、前記第２の到達排気空燃比推定手段により推定された第２の到達排気空燃比推定値と、前記第１の排気空燃比検出手段により検出された到達触媒前空燃比値または前記第２の排気空燃比検出手段により検出された到達触媒後空燃比値との差を求め、該差の大小に基づき、前記第１の還元剤添加手段、前記前処理触媒および前記吸蔵還元型ＮＯｘ触媒を診断する第３の診断手段と、を備えるようにしてもよい。
【００１７】
この形態によれば、第１の到達排気空燃比推定手段により第１の還元剤添加手段により添加供給された還元剤量に起因する到達排気空燃比が推定され、この推定された第１の到達排気空燃比推定値と、第１の排気空燃比検出手段により検出された到達触媒前空燃比値または第２の排気空燃比検出手段により検出された到達触媒後空燃比値との差が求められる。そして、該差の大小に基づき、第２の診断手段により第１の還元剤添加手段が診断される。すなわち、推定された第１の到達排気空燃比推定値と第１または第２の排気空燃比検出手段による実測値との差が大きく乖離するときは、第１の還元剤添加手段が異常ないしは故障の可能性がある。逆に、その差が小さいときは、第１の還元剤添加手段は正常と診断されるので、前処理触媒は正常に機能しているとの診断が行なわれる。
【００１８】
そして、第１の還元剤添加手段が異常ないしは故障の可能性があるとされたときには、第２の還元剤添加手段により前処理触媒の上流において、排気ガスに還元剤が添加され、第２の到達排気空燃比推定手段により第２の還元剤添加手段により添加供給された還元剤量に起因する到達排気空燃比が推定される。さらに、この推定された第２の到達排気空燃比推定値と、第１の排気空燃比検出手段により検出された到達触媒前空燃比値または第２の排気空燃比検出手段により検出された到達触媒後空燃比値との差が求められる。そして、第３の診断手段により、該差の大小に基づき、第１の還元剤添加手段、前処理触媒および吸蔵還元型ＮＯｘ触媒が診断される。すなわち、上述の第１の到達排気空燃比推定値と共に第２の到達排気空燃比推定値と第１または第２の排気空燃比検出手段による実測値との差が大きく乖離するときは、第１の還元剤添加手段と第２の還元剤添加手段とにより添加供給された還元剤量に起因する到達排気空燃比は等しいにもかかわらず、推定値と実測値との差が大きいことを意味する。従って、この場合は、第１の還元剤添加手段は正常であるが、前処理触媒および吸蔵還元型ＮＯｘ触媒が、異常ないしは劣化と診断される。逆に、その差が小さいときは、第１の還元剤添加手段が異常ないしは故障と診断される。
【００１９】
従って、この形態によれば、前処理触媒および吸蔵還元型ＮＯｘ触媒が同時に劣化している場合および第１の還元剤添加手段の異常ないしは故障の場合をも診断できるので、前処理触媒の診断がさらに精度よく行われ得る。
【００２０】
なお、前記第１および第２の還元剤添加手段が、それぞれ、排気通路に設けられた還元剤添加弁および燃焼室に設けられた燃料噴射弁のいずれか一方およびその他方を用いるものであることが好ましい。
【００２１】
この形態によれば、還元剤添加手段として一つの還元剤添加弁を追加すれば足るので、さほどコストアップを伴わずに実施できる。
【発明を実施するための最良の形態】
【００２２】
以下、添付図面を用いて本発明の実施形態について説明する。図１は、本発明を自動車用ディーゼルエンジンに適用した実施形態の概略構成を説明する模式図である。
【００２３】
図１において、１００はディーゼルエンジン本体、１０２はエンジン１００の吸気通路、１０４は吸気通路１０２に設けられたサージタンク、１０６はサージタンク１０４と各気筒の吸気ポートとを接続する吸気枝管である。本実施形態では、吸気通路１０２には吸気通路１０２を流れる吸入空気の流量を絞る吸気絞り弁１０８、および吸気を冷却するインタクーラ１１０が設けられている。吸気絞り弁１０８はソレノイド、バキュームアクチュエータ等の適宜な形式のアクチュエータ１０８Ａを備え、後述する電子制御ユニット（ＥＣＵ）２００からの制御信号に応じた開度をとる。本実施形態では、吸気絞り弁１０８は、例えば機関低回転時等に吸気圧力を低下させて、後述するＥＧＲ通路１５２を通ってサージタンク１０４に還流する排気（ＥＧＲガス）量を増大させるために用いられる。
【００２４】
図１に１１２で示すのは、吸気通路１０２の吸気入口近傍に設けられたエアフローメータである。本実施形態では、エアフローメータ１１２は熱線式流量計等のように、吸気通路１０２を流れる吸入空気の質量流量を測定可能な形式のものが使用されている。吸気通路１０２に流入した大気は、エアフローメータ１１２を通過した後、ターボチャージャ１３０のタービン１３０Ｔで駆動されるコンプレッサ１３０Ｃにより昇圧され、吸気通路１０２に設けられたインタクーラ１１０により冷却された後サージタンク１０４、枝管１０６を経て各気筒に吸入される。
【００２５】
図１に１１４で示すのは、各気筒内に燃料を直接に噴射する燃料噴射弁である。燃料噴射弁１１４は、高圧燃料を貯留する共通の蓄圧室（コモンレール）１１６に接続されている。機関１００の燃料は高圧燃料ポンプ１１８により昇圧されてコモンレール１１６に供給され、コモンレール１１６から各燃料噴射弁１１４を介して直接各気筒内に噴射される。また、排気中に燃料を還元剤として噴射供給する還元剤添加装置を備えており、本実施の形態では、この還元剤添加装置は、一つの気筒における排気ポートに対し還元剤としての燃料を供給可能な還元剤添加弁１１５を備え、不図示の供給管を介してコモンレール１１６に接続されている。
【００２６】
また、図１に１２０で示すのは各気筒の排気ポートと排気通路１２２とを接続する排気マニホルドであり、その下流に上述のターボチャージャ１３０が配置されている。ターボチャージャ１３０は排気通路１２２の排気により駆動される排気タービン１３０Ｔと、この排気タービン１３０Ｔにより駆動される吸気コンプレッサ１３０Ｃとを備えていること前述の通りである。
【００２７】
また、本実施形態では、ターボチャージャ１３０下流側の排気通路１２２に、酸化機能を有する前処理触媒装置（例えば、酸化触媒または三元触媒）１３２が配置されると共に、その下流に排気通路１２２を流れる排気流量を制御するための排気絞り弁１３４が配置されている。排気絞り弁１３４は、吸気絞り弁１０８と同様なアクチュエータ１３４Ａを備え、ＥＣＵ２００からの制御信号に応じて全開位置と所定の開度の閉弁位置とをとる。本実施形態では排気絞り弁１３４は、前処理触媒装置１３２の早期活性化のために排気温度を上昇させる際に用いられる。そして、本実施形態では、排気絞り弁１３４の下流に上述の吸蔵還元型ＮＯｘ触媒１３６が配置されている。
【００２８】
本実施形態の吸蔵還元型ＮＯｘ触媒１３６は、アルミナＡｌ２Ｏ３等の酸化物からなるハニカム状基材表面に、触媒成分としての白金Ｐｔのような貴金属と、ＮＯｘ吸収成分とが担持されて構成されている。ＮＯｘ吸収成分は、例えばカリウムＫ、ナトリウムＮａ，リチウムＬｉ、セシウムＣｓのようなアルカリ金属、バリウムＢａ、カルシウムＣａのようなアルカリ土類、ランタンＬａ、イットリウムＹのような希土類から選ばれた少なくとも一つから成る。
【００２９】
この吸蔵還元型ＮＯｘ触媒１３６により、機関運転時において排気が酸化雰囲気（リーン）にあるときに、ＮＯｘは吸蔵還元型ＮＯｘ触媒１３６に吸蔵される。そして還元雰囲気（ストイキあるいはリッチ）では吸蔵還元型ＮＯｘ触媒１３６に吸蔵されたＮＯｘが酸化窒素（ＮＯ）として離脱し、炭化水素（ＨＣ）や一酸化炭素（ＣＯ）により還元される。このことによりＮＯｘの浄化が行なわれる。
【００３０】
そして、吸蔵還元型ＮＯｘ触媒１３６の上流の排気通路１２２には、第１の排気空燃比検出手段としての触媒前空燃比センサ、すなわち、第１の空燃比センサ（以下、Ａ／Ｆセンサともいう）１３８、および吸蔵還元型ＮＯｘ触媒１３６の下流の排気通路１２２には第２の排気空燃比検出手段としての触媒後空燃比センサ、すなわち、第２の空燃比センサ１３９がそれぞれ設けられている。なお、これらの第１および第２のＡ／Ｆセンサ１３８、１３９は排気中の酸素成分に基づいて排気の空燃比を検出し、空燃比に比例した電圧信号をリニアに出力するセンサである。
【００３１】
さらに、本実施形態ではエンジン排気の一部を吸気系に還流させるＥＧＲ装置１５０が設けられている。ＥＧＲ装置１５０は、排気マニホルド１２０と吸気サージタンク１０４とを連通する前述のＥＧＲ通路１５２、およびＥＧＲ通路１５２に配置されたＥＧＲ制御弁(以下、ＥＧＲ弁という)１５４、およびＥＧＲ弁１５４の上流側のＥＧＲ通路１５２に設けられたＥＧＲクーラ１５６を備えている。ＥＧＲ弁１５４は図示しないステッパモータ、ソレノイドアクチュエータ等のアクチュエータを備え、ＥＣＵ２００からの制御信号に応じた開度をとり、ＥＧＲ通路１５２を通って吸気サージタンク１０４に還流されるＥＧＲガス流量を制御する。なお、ＥＧＲガスは気筒から排出された高温の排気であるため、多量のＥＧＲガスを吸気に還流させると吸気温度が上昇してしまい、エンジンの吸気体積効率が低下することになる。本実施形態では、これを防止するために、ＥＧＲ弁１５４上流側のＥＧＲ通路１５２には水冷または空冷のＥＧＲクーラ１５６が設けられている。本実施形態では、ＥＧＲクーラ１５６を用いて吸気系に還流するＥＧＲガス温度を低下させることにより、エンジンの吸気体積効率の低下を抑制して比較的多量のＥＧＲガスを還流させることが可能となっている。
【００３２】
さらに、図１に２００で示すのは、エンジン１００の電子制御ユニット（ＥＣＵ）である。本実施形態のＥＣＵ２００は、公知の構成のマイクロコンピュータとして構成され、ＣＰＵ、ＲＡＭ、ＲＯＭ、入力ポート、出力ポートを双方向性バスで相互に接続した構成とされている。ＥＣＵ２００はエンジン１００の燃料噴射制御、回転数制御等の基本制御を行うほか、本実施形態では後述するように、前処理触媒装置１３２および吸蔵還元型ＮＯｘ触媒１３６の劣化診断を行なう。
【００３３】
これらの制御を行うため、ＥＣＵ２００の入力ポートには、エンジン１００のクランク軸近傍に配置された回転数センサ１６０からエンジン回転数ＮＥに対応する信号が入力されている他、エアフローメータ１１２からエンジン吸入空気量Ｇｎに相当する信号が、また、不図示のアクセルペダル近傍に配置されたアクセル開度センサ１６２から運転者のアクセルペダル踏み込み量（アクセル開度）に対応する信号とＥＧＲ弁１５４に配置されたＥＧＲ弁開度センサ１６４からＥＧＲ弁開度を表す信号、第１のＡ／Ｆセンサ１３８および第２のＡ／Ｆセンサ１３９から排気ガスの空燃比を表す信号等が、それぞれ入力されている。
【００３４】
ＥＣＵ２００の出力ポートは、図示しない燃料噴射回路を介してエンジン１００の燃料噴射弁１１４および還元剤添加弁１１５に接続され、燃料噴射弁１１４および還元剤添加弁１１５からの燃料噴射量と燃料噴射時期とがそれぞれ制御されている。また、ＥＣＵ２００の出力ポートは図示しない駆動回路を介してＥＧＲ弁１５４、吸気絞り弁１０８および排気絞り弁１３４のアクチュエータに接続され、それぞれの弁開度も制御されている。
【００３５】
〔第１実施形態〕
以下、上記構成になる排気浄化装置の劣化診断の処理手順の第１実施形態について図２のフローチャートを参照して説明する。ここで、このフローチャートに示す一連の処理は、上記劣化診断処理の処理手順を概念的に示したものであり、実際の処理は所定周期毎のサブルーチン処理として、ＥＣＵ２００により実行される。なお、この劣化診断処理ルーチンはエンジン１００がスタートされてから停止されるまでの、いわゆる、ワントリップにおいて、例えば、エンジン１００の暖機完了後の比較的早い時期に少なくとも一回ないしは所定の周期で数回実行されればよい。従って、診断が正常に完了したときは、診断完了フラグを立てることにより、ワントリップ中における無用な診断を避けるようにしてもよい。この診断の時期ないしは回数については、予めＥＣＵ２００におけるプログラムに設定され得る。
【００３６】
そこで、ＥＣＵ２００において処理がスタートすると、ステップＳ２０１において、劣化診断実施要求があった（＝ＯＮ）か否かが判定される。すなわち、上述のようにプログラムに設定された時期に至ったか否かが判定される。至っていない、すなわち、「Ｎｏ」のときはこのルーチンは一旦終了される。そして、「Ｙｅｓ」のときはステップＳ２０２に進み、リッチスパイクが実施される。このリッチスパイクが実施されると、還元剤添加弁１１５から第１の気筒における排気ポートに対し、還元剤としての燃料が所定の回数および所定量噴射供給される。なお、本明細書の記述において、「リッチスパイク」とは、排気ガスに所定量の還元剤を添加することを意味し、必ずしも空燃比がストイキを超えてリッチ領域に至る量の還元剤を添加しない場合も含む。
【００３７】
そして、次のステップＳ２０３において、還元剤添加弁１１５から還元剤としての燃料が所定量噴射供給されたときの所定時間内において、第１のＡ／Ｆセンサ１３８によって前処理触媒装置１３２の下流で吸蔵還元型ＮＯｘ触媒１３６の上流の触媒前空燃比が順次計測され、その計測値の最小値が到達触媒前空燃比値Ａ／Ｆin-minとして記憶される。同様に、ステップＳ２０４において、第２のＡ／Ｆセンサ１３９によって吸蔵還元型ＮＯｘ触媒１３６の下流の触媒後空燃比が順次計測され、その計測値の最小値が到達触媒後空燃比値Ａ／Ｆout-minとして記憶される。
【００３８】
さらに、ステップＳ２０５に進み、ステップＳ２０３で得られた触媒前空燃比の最小値である到達触媒前空燃比値Ａ／Ｆin-minとステップＳ２０４で得られた触媒後空燃比の最小値である到達触媒後空燃比値Ａ／Ｆout-minとの差ΔＡ／Ｆが求められる。そして、次のステップＳ２０６において、この到達排気空燃比値の差ΔＡ／Ｆが所定の閾値αと比較され、それとの大小に基づいて前処理触媒１３２の劣化度合が診断される。すなわち、差ΔＡ／Ｆが所定の閾値αより小さいとき、換言すると、「Ｎｏ」のときはステップＳ２０７に進み、前処理触媒１３２の酸化機能は低下ないしは劣化していないとして、前処理触媒劣化フラグを「ＯＦＦ」として診断を終了する。一方、差ΔＡ／Ｆが所定の閾値αより大きいとき、換言すると、「Ｙｅｓ」のときはステップＳ２０８に進み、前処理触媒１３２の酸化機能が低下ないしは劣化しているとして、前処理触媒劣化フラグを「ＯＮ」として診断を終了する。
【００３９】
ここで、上述の第１のＡ／Ｆセンサ１３８によって計測される到達触媒前空燃比値Ａ／Ｆin-minと第２のＡ／Ｆセンサ１３９によって計測される到達触媒後空燃比値Ａ／Ｆout-minとの差ΔＡ／Ｆの大小に基づき、前処理触媒１３２の劣化度合が診断できる理由について説明する。
【００４０】
図３は、前処理触媒１３２および吸蔵還元型ＮＯｘ触媒１３６が正常に機能している場合の、第１のＡ／Ｆセンサ１３８および第２のＡ／Ｆセンサ１３９によって計測される排気空燃比の変化の様子を縦軸に排気空燃比（Ａ／Ｆ）を、横軸に時間（Time-sec）をとって示すタイムチャートである。ここで、実線Ａは第１のＡ／Ｆセンサ１３８よって計測される前処理触媒装置１３２の下流で吸蔵還元型ＮＯｘ触媒１３６の上流の触媒前空燃比Ａ／Ｆinを表し、点線Ｂは第２のＡ／Ｆセンサ１３９によって計測される吸蔵還元型ＮＯｘ触媒１３６の下流の触媒後空燃比Ａ／Ｆoutを表している。また、図４は、吸蔵還元型ＮＯｘ触媒１３６は正常であるが、前処理触媒１３２の酸化機能が低下ないしは劣化した場合、および図５は前処理触媒１３２が正常である場合の、第１のＡ／Ｆセンサ１３８および第２のＡ／Ｆセンサ１３９によって計測されて出力されるＡ／Ｆセンサ出力の変化の様子をそれぞれ示すタイムチャートである。
【００４１】
今、図３の時刻ｔ１において、還元剤添加弁１１５から第１の気筒における排気ポートに対し、還元剤としての燃料が所定量噴射供給が開始され所定時間(例えば、１〜２sec)に亘りリッチスパイクが実施されたとするとき、前処理触媒１３２が正常に機能している場合には、添加された還元剤と排気ガス中の酸素との酸化反応により酸素が消費される結果、触媒前空燃比Ａ／Ｆinがリッチ側に移行し、還元剤としての燃料の供給ないしは添加量に依存する所定時間Ｔ内において、ほぼ一定の到達触媒前排気空燃比Ａ／Ｆin-minに到達することになる。
【００４２】
一方、この排気空燃比がリッチ側に移行した排気ガスが吸蔵還元型ＮＯｘ触媒１３６に流入すると、吸蔵還元型ＮＯｘ触媒１３６に吸蔵されていたＮＯｘが酸化窒素（ＮＯ）として離脱し、炭化水素（ＨＣ）や一酸化炭素（ＣＯ）により還元される。同時に、この還元雰囲気（ストイキあるいはリッチ）では吸蔵還元型ＮＯｘ触媒１３６から放出される二酸化窒素と炭化水素（ＨＣ）や一酸化炭素（ＣＯ）との反応により酸素が発生される。かくて、このＮＯｘの還元中においては、吸蔵還元型ＮＯｘ触媒１３６を通過した排気ガスの排気空燃比は直ぐにはリッチに至らず、図３に点線Ｂで示されるようにストイキ付近に維持される。そして、図３に黒塗りで示される、吸蔵還元型ＮＯｘ触媒１３６に吸蔵されていたＮＯｘの離脱分が時刻ｔ２でなくなると、上述の還元反応が停止される結果、触媒後空燃比Ａ／Ｆoutもリッチ側に移行し、最終的に到達触媒後排気空燃比Ａ／Ｆout-minに到達する(時刻ｔ３)。
【００４３】
このように、前処理触媒１３２が正常に機能している場合には、触媒前空燃比Ａ／Ｆinと触媒後空燃比Ａ／Ｆoutとが最終的に到達する到達触媒前排気空燃比Ａ／Ｆin-minと到達触媒後排気空燃比Ａ／Ｆout-minとが等しくなる。従って、第１のＡ／Ｆセンサ１３８により得られる到達触媒前空燃比値Ａ／Ｆin-minと第２のＡ／Ｆセンサ１３９によって得られる到達触媒後空燃比値Ａ／Ｆout-minとの差が所定の閾値αより小さいのは、前処理触媒１３２で排気ガス中の酸素が処理された結果であり、前処理触媒１３２が正常に機能していると診断されるのである。
【００４４】
ところで、前処理触媒１３２の酸化機能が低下ないしは劣化した場合には、添加された還元剤と排気ガス中の酸素との酸化反応が十分に行なわれず、第１のＡ／Ｆセンサ１３８をまず通過する排気ガスの排気空燃比Ａ／Ｆin、延いては、到達触媒前排気空燃比Ａ／Ｆin-minは、図４に示すように、リーン側にずれる。しかし、リーン側にずれた排気ガスが吸蔵還元型ＮＯｘ触媒１３６を通過すると、この排気ガス中の酸素は吸蔵還元型ＮＯｘ触媒１３６での酸化反応に使用され、触媒後空燃比Ａ／Ｆout、延いては、到達触媒後排気空燃比Ａ／Ｆout-minはリッチ側に移行する。従って、第１のＡ／Ｆセンサ１３８により得られる到達触媒前空燃比値Ａ／Ｆin-minと第２のＡ／Ｆセンサ１３９によって得られる到達触媒後空燃比値Ａ／Ｆout-minとの差が大きいときは、前処理触媒１３２での酸化機能が十分ではなく劣化していると診断されるのである。
【００４５】
なお、前処理触媒１３２の酸化機能が低下ないしは劣化したか否かを診断する目的のために行なわれるリッチスパイクでは、図５に示すように、前処理触媒１３２が正常のときは、第１のＡ／Ｆセンサ１３８により得られる到達触媒前空燃比値Ａ／Ｆin-minと第２のＡ／Ｆセンサ１３９によって得られる到達触媒後空燃比値Ａ／Ｆout-minとが共にリーン側で等しくなるので、還元剤の添加量は排気空燃比がストイキを超えてリッチ領域に至らない少量であってもよい。このようにすると、還元剤の使用量が少なくて済むと共に、第１および第２のＡ／Ｆセンサ１３８、１３９での検出精度が向上する。
【００４６】
〔第２実施形態〕
次に、本発明に係る劣化診断の処理手順の第２実施形態について図６のフローチャートを参照して説明する。前実施形態では、前処理触媒１３２および吸蔵還元型ＮＯｘ触媒１３６の両者が共に正常に機能していない場合に、誤診断が行なわれる可能性がある。そこで、この第２実施形態は、両者が共に正常に機能していない場合と還元剤添加手段との機能状態を検証して、前処理触媒１３２の診断精度をさらに向上させようとするものである。
【００４７】
そこで、ＥＣＵ２００において処理がスタートすると、ステップＳ６０１ないしステップＳ６０６においては、第１実施形態におけるステップＳ２０１ないしステップＳ２０６と同じ処理が実行される。従って、ステップＳ６０１ないしステップＳ６０６についての詳細な説明は、上述のステップＳ２０１ないしステップＳ２０６についての説明を援用するが、簡単に列記すると以下のようになる。
・ステップＳ６０１：劣化診断実施要求の有無を判定する。
・ステップＳ６０２：リッチスパイクを実施する。
・ステップＳ６０３：第１のＡ／Ｆセンサ１３８による触媒前空燃比Ａ／Ｆinの順次計測および第１の到達触媒前空燃比値（１）・Ａ／Ｆin-minを記憶する。
・ステップＳ６０４：第２のＡ／Ｆセンサ１３９による触媒後空燃比Ａ／Ｆoutの順次計測および第１の到達触媒後空燃比値（１）・Ａ／Ｆout-minを記憶する。
・ステップＳ６０５：第１の到達触媒前空燃比値（１）・Ａ／Ｆin-minと第１の到達触媒後空燃比値（１）・Ａ／Ｆout-minとの第１の差ΔＡ／Ｆ(1)を求める。
・ステップＳ６０６：これらの触媒前後の到達空燃比値の第１の差ΔＡ／Ｆ(1)と所定の閾値αとを比較し、それとの大小に基づいて前処理触媒１３２の劣化度合を診断する。ここで、上記ステップＳ６０２ないしステップＳ６０６が本発明の実施形態における第１の診断手段を構成する。
【００４８】
そして、この第１の差ΔＡ／Ｆ(1)が所定の閾値αより大きいとき、換言すると、「Ｙｅｓ」のときはステップＳ６０７に進み、前処理触媒１３２の酸化機能が低下ないしは劣化しているとして、前処理触媒劣化フラグを「ＯＮ」として診断を終了する。一方、第１の差ΔＡ／Ｆ(1)が所定の閾値αより小さいとき、換言すると、「Ｎｏ」のときはステップＳ６０８に進み、第１の推定到達排気空燃比（１）・Ａ／Ｆを算出する。この第１の推定到達排気空燃比（１）・Ａ／Ｆは、エアフローメータ１１２により測定された吸入空気量ＧＡと、燃料噴射弁１１４から筒内に噴射供給された燃料噴射量Ｑｉおよび還元剤添加弁１１５から噴射供給された燃料添加量Ｑａとに基づき、（１）・Ａ／Ｆ＝ＧＡ／（Ｑｉ＋Ｑａ）として、ＥＣＵ２００により算出される。
【００４９】
そして、次のステップＳ６０９に進み第１の推定到達排気空燃比（１）・Ａ／Ｆと第１の到達触媒前空燃比値（１）・Ａ／Ｆin-minとの第２の差ΔＡ／Ｆ(２)が求められる。なお、このステップＳ６０９では第１の推定到達排気空燃比（１）・Ａ／Ｆと第１の到達触媒後空燃比値（１）・Ａ／Ｆout-minとの第２の差ΔＡ／Ｆ(２)を求めるようにしてもよい。ステップＳ６０６での判定から明らかなように、両者間にはさほどの差がないからである。
【００５０】
次に、ステップＳ６１０において、この第２の差ΔＡ／Ｆ(２)が所定の閾値βと比較され、第２の差ΔＡ／Ｆ(２)が所定の閾値βより小さいとき、換言すると、「Ｎｏ」のときはステップＳ６１８に進み、還元剤添加弁１１５の添加機能は正常で、且つ、前処理触媒１３２の酸化機能は低下ないしは劣化していないとして、前処理触媒劣化フラグを「ＯＦＦ」として診断を終了する。これは、互いに差が小さい第１のＡ／Ｆセンサ１３８による実測で得られる第１の到達触媒前空燃比値（１）・Ａ／Ｆin-minまたは第２のＡ／Ｆセンサ１３９による実測で得られる第１の到達触媒後空燃比値（１）・Ａ／Ｆout-minと、ＥＣＵ２００により算出される第１の推定到達排気空燃比（１）・Ａ／Ｆとの差が小さいとは、還元剤添加弁１１５から適量の燃料が添加され、前処理触媒１３２で排気ガス中の酸素が正しく処理された結果であり、還元剤添加弁１１５および前処理触媒１３２が正常に機能していることを意味するからである。
【００５１】
逆に、ステップＳ６１０における判定で、第２の差ΔＡ／Ｆ(２)が所定の閾値βより大きいとき、換言すると、「Ｙｅｓ」のときは還元剤添加弁１１５の故障の可能性もあるので、ステップＳ６１１に進みさらに診断が続けられる。ここで、上記ステップＳ６０８ないしステップＳ６１０が本発明の実施形態における第２の診断手段を構成している。
【００５２】
そこで、ステップＳ６１１ではリッチスパイクが実施される。このリッチスパイクは、第２の還元剤添加手段としての燃料噴射弁１１４から筒内に膨張行程後期又は排気行程で燃料である軽油を噴射するいわゆるポスト噴射により行なわれる。
【００５３】
そして、次のステップＳ６１２において、ポスト噴射により還元剤としての燃料が所定量噴射供給されたときの所定時間内において、第１のＡ／Ｆセンサ１３８によって前処理触媒装置１３２の下流で吸蔵還元型ＮＯｘ触媒１３６の上流の触媒前空燃比が順次計測され、その計測値の最小値が第２の到達触媒前空燃比値（２）・Ａ／Ｆin-minとして記憶される。
【００５４】
さらに、ステップＳ６１３において、第２の推定到達排気空燃比（２）・Ａ／Ｆが算出される。この第２の推定到達排気空燃比（２）・Ａ／Ｆは、エアフローメータ１１２により測定された吸入空気量ＧＡと、燃料噴射弁１１４から筒内に膨張行程初期に正規に噴射供給された燃料噴射量Ｑｉおよびポスト噴射により供給された燃料添加量Ｑｐとに基づき、（２）・Ａ／Ｆ＝ＧＡ／（Ｑｉ＋Ｑｐ）として、ＥＣＵ２００により算出される。
【００５５】
そして、次のステップＳ６１４に進み第２の推定到達排気空燃比（２）・Ａ／Ｆと第１の到達触媒前空燃比値（１）・Ａ／Ｆin-minとの第３の差ΔＡ／Ｆ(３)が求められる。
【００５６】
次に、ステップＳ６１５において、この第３の差ΔＡ／Ｆ(３)が所定の閾値γと比較され、第３の差ΔＡ／Ｆ(３)が所定の閾値γより大きいとき、換言すると、「Ｙｅｓ」と判定されるときはステップＳ６１６に進み、前処理触媒１３２の酸化機能が低下ないしは劣化しており、且つ吸蔵還元型ＮＯｘ触媒１３６も劣化しているとして、前処理触媒劣化フラグを「ＯＮ」、且つ吸蔵還元型ＮＯｘ触媒劣化フラグを「ＯＮ」として診断を終了する。ここで、上記ステップＳ６１１ないしステップＳ６１５が本発明の実施形態における第３の診断手段を構成している。
【００５７】
一方、ステップＳ６１５において、第３の差ΔＡ／Ｆ(３)が所定の閾値γより
小さいとき、換言すると、「Ｎｏ」のときはステップＳ６１７に進み、還元剤添加弁１１５の添加機能は異状であると判定し、還元剤添加弁故障フラグを「ＯＮ」とする。そして、次のステップＳ６１８に進み、前処理触媒１３２の酸化機能は低下ないしは劣化していないとして、前処理触媒劣化フラグを「ＯＦＦ」として診断を終了する。
【００５８】
これは、第１のＡ／Ｆセンサ１３８による実測で得られる第３の到達触媒前空燃比値（３）・Ａ／Ｆin-minと、ＥＣＵ２００により算出される第２の推定到達排気空燃比（２）・Ａ／Ｆとの差が小さいとは、ポスト噴射により適量の燃料が添加され、前処理触媒１３２で排気ガス中の酸素が正しく処理された結果であり、還元剤添加弁１１５からの燃料添加量が適切ではないこと、および前処理触媒１３２が正常に機能していることを意味するからである。
【図面の簡単な説明】
【００５９】
【図１】本発明に係る内燃機関の排気浄化装置の劣化診断装置の概略構成を示す模式図である。
【図２】本発明に係る内燃機関の排気浄化装置の劣化診断装置の第１実施形態における劣化診断の処理手順を示すフローチャートである。
【図３】前処理触媒１３２および吸蔵還元型ＮＯｘ触媒１３６が正常に機能している場合の、第１のＡ／Ｆセンサ１３８および第２のＡ／Ｆセンサ１３９によって計測される排気空燃比の変化の様子を示すタイムチャートである。
【図４】吸蔵還元型ＮＯｘ触媒１３６は正常であるが、前処理触媒１３２の酸化機能が低下ないしは劣化した場合、第１のＡ／Ｆセンサ１３８および第２のＡ／Ｆセンサ１３９によって計測される排気空燃比の変化の様子を示すタイムチャートである。
【図５】前処理触媒１３２および吸蔵還元型ＮＯｘ触媒１３６が正常である場合の、第１のＡ／Ｆセンサ１３８および第２のＡ／Ｆセンサ１３９によって計測される排気空燃比の変化の様子を示すタイムチャートである。
【図６】本発明に係る内燃機関の排気浄化装置の劣化診断装置の第２実施形態における劣化診断の処理手順を示すフローチャートである。
【符号の説明】
【００６０】
１００    ディーゼルエンジン本体
１１２    エアフローメータ
１１４    燃料噴射弁
１１５    還元剤添加弁
１３２    前処理触媒装置（酸化触媒または三元触媒）
１３６    吸蔵還元型ＮＯｘ触媒
１３８    第１の空燃比センサ（第１のＡ／Ｆセンサ）
１３９    第２の空燃比センサ（第２のＡ／Ｆセンサ）
２００    電子制御ユニット（ＥＣＵ）
【図１】
2008138562.tif 000003
【図２】
2008138562.tif 000004
【図３】
2008138562.tif 000005
【図４】
2008138562.tif 000006
【図５】
2008138562.tif 000007
【図６】
2008138562.tif 000008